(57)【要約】【課題】記録媒体の現像剤像が転写される転写面の電荷状態を、転写部の直前に配置される記録媒体の案内部材を交換することで調整することができる画像形成装置を提供する。【解決手段】画像形成装置は、像保持体に保持された現像剤像を記録媒体に静電的に転写する転写部と、転写部に導入される記録媒体の現像剤像が転写される転写面を案内する転写面案内部材と、転写面案内部材が装着される装着部と、装着部に装着されたときの転写面案内部材に接触して異なる電荷調整処理を与えるための複数の接続部材を有する電荷調整部と、を備え、転写面案内部材は、記録媒体に与える電荷調整処理に対応して使用される複数の転写面案内部材として用意されており、複数の転写面案内部材は、そのうちの１つが前記装着部に装着されて使用されるとともにその装着時に前記電荷調整部における複数の接続部材のうちの対応する１つの接続部材と接触する接触部位を有している。【選択図】図４
2019040079.tif 000002
【特許請求の範囲】
【請求項１】
像保持体に保持された現像剤像を記録媒体に静電的に転写する転写部と、
前記転写部に導入される記録媒体の現像剤像が転写される転写面を案内する転写面案内部材と、
前記転写面案内部材が装着される装着部と、
前記装着部に装着されたときの前記転写面案内部材に接触して異なる電荷調整処理を与えるための複数の接続部材を有する電荷調整部と、
を備え、
前記転写面案内部材は、前記記録媒体に与える電荷調整処理に対応して使用される複数の転写面案内部材として用意されており、
前記複数の転写面案内部材は、そのうちの１つが前記装着部に装着されて使用されるとともに、その装着時に前記電荷調整部における複数の接続部材のうちの対応する１つの接続部材と接触する接触部位を有している画像形成装置。
【請求項２】
前記装着部に、前記転写面案内部材をその着脱時に保持して誘導する保持誘導部材が設けられている請求項１に記載の画像形成装置。
【請求項３】
前記転写面案内部材の前記接続部材との接触部位は、装着時に位置決め孔に嵌め入れる位置決め突起である請求項１又は２に記載の画像形成装置。
【請求項４】
前記電荷調整部の複数の接続部材は、前記位置決め孔に対応するとともに互いに異なる位置に設けられており、
前記位置決め突起は、前記複数の転写面案内部材ごとに前記複数の接続部材の各位置に対応する異なる位置に設けられている請求項３に記載の画像形成装置。
【請求項５】
使用される記録媒体の種類を検出する第１検出手段と、前記第１検出手段の検出結果に応じて前記転写面案内部材の交換の要否およびその交換で使用すべき種類を判別して知らせる交換報知手段とを備えている請求項１乃至４のいずれかに記載の画像形成装置。
【請求項６】
前記複数の転写面案内部材の種類をその装着時に検出する第２検出手段と、第２検出手段の検出結果が前記交換報知手段で判別された転写面案内部材の種類と整合しない場合に装着された転写面案内部材の種類が誤っていることを知らせる誤装着警告手段とを備えている請求項５に記載の画像形成装置。
【請求項７】
前記第１検出手段は記録媒体の固有の抵抗特性で分類した種類別に基づいて記録媒体の種類を検出し、前記交換報知手段は記録媒体の前記種類別に適合する転写面案内部材の種類を知らせる請求項５又は６に記載の画像形成装置。
【請求項８】
前記転写部は、中間転写体に保持された現像剤像を記録媒体に静電的に転写する二次転写部であり、
前記装着部は、前記中間転写体を支持する支持部材に設けられている請求項１乃至７のいずれかに記載の画像形成装置。
【請求項９】
前記電荷調整部における異なる電荷調整処理は、接地処理、抵抗素子を介在させた接地処理、又は給電処理の３つの処理であり、
前記電荷調整部における複数の接続部材は、前記３つの処理を個別に行う３つの接続部材として構成されている請求項１乃至８のいずれかに記載の画像形成装置。
【請求項１０】
前記転写面案内部材のうち前記電荷調整部の給電処理を行う接続部材に接触させる接触部位を有する転写面案内部材は、記録媒体の転写面に接触する導電性の接触補助材が設けられている請求項９に記載の画像形成装置。
【発明の詳細な説明】
【技術分野】
【０００１】
この発明は画像形成装置に関するものである。
【背景技術】
【０００２】
従来、記録媒体（記録材、用紙など）の種類や湿度の環境が変化しても良好な転写を実現するよう構成された画像形成装置としては、以下に例示するものが知られている。
【０００３】
例えば、下記特許文献１には、現像剤像を記録媒体に転写する転写手段と、その転写手段に定電流制御により転写バイアスを印加するバイアス印加手段とを備える画像形成装置において、転写手段の抵抗値を測定する測定手段と、記録媒体の種類を検出する種類検出手段と、種類検出手段で検出された種類と測定手段で測定された抵抗値とに基づいて転写バイアスを選択し、バイアス印加手段からその選択された転写バイアスを印加させる制御手段を備えた画像形成装置が示されている。
【０００４】
また、下記特許文献２には、像担持体上に形成された可視像を記録材に転写帯電手段により静電的に転写する画像形成装置において、記録材が像担持体に至る手前の位置に前帯電手段を設置し、その前帯電手段に、転写時に記録材の裏面に付与される電荷とは逆極性の電荷を転写に先立って記録材の裏面に付与する逆帯電モードと、転写時に電流が記録材担持体を介して流れたときに電圧が生じる素子を介して接地されるモードとを切り替え可能に設けた画像形成装置が示されている。
【０００５】
さらに、下記特許文献３には、潜像担持体に形成された潜像を現像手段の現像部材から供給する液体現像剤で現像し、その現像された可視像を転写手段により記録体に転写する液体式画像形成装置において、使用される記録体の種類情報を取得する取得手段と、その取得手段の取得結果に基づいて操作者に、現像部材に液体現像剤を供給する剤供給手段の少なくとも一部の交換を促し得る所定の情報を報知する情報報知手段とを設けた液体式画像形成装置が示されている。また、特許文献３には、上記所定の情報として、操作者に対して現像手段の交換作業を促す情報を適用することも示されている。
【先行技術文献】
【特許文献】
【０００６】
【特許文献１】特開２００３−２８７９６６号公報
【特許文献２】特開２０００−１６２８９７号公報
【特許文献３】特開２００４−２９６１５号公報
【発明の概要】
【発明が解決しようとする課題】
【０００７】
この発明は、記録媒体の現像剤像が転写される転写面の電荷状態を、転写部の直前に配置される記録媒体の案内部材を交換することで調整することができる画像形成装置を提供するものである。
【課題を解決するための手段】
【０００８】
この発明（Ａ１）の画像形成装置は、請求項１に記載しているとおり、
像保持体に保持された現像剤像を記録媒体に静電的に転写する転写部と、
前記転写部に導入される記録媒体の現像剤像が転写される転写面を案内する転写面案内部材と、
前記転写面案内部材が装着される装着部と、
前記装着部に装着されたときの前記転写面案内部材に接触して異なる電荷調整処理を与えるための複数の接続部材を有する電荷調整部と、
を備え、
前記転写面案内部材は、前記記録媒体に与える電荷調整処理に対応して使用される複数の転写面案内部材として用意されており、
前記複数の転写面案内部材は、そのうちの１つが前記装着部に装着されて使用されるとともに、その装着時に前記電荷調整部における複数の接続部材のうちの対応する１つの接続部材と接触する接触部位を有しているものである。
【０００９】
この発明（Ａ２）の画像形成装置は、上記発明Ａ１の画像形成装置において、前記装着部に、前記転写面案内部材をその着脱時に保持して誘導する保持誘導部材が設けられているものである。
この発明（Ａ３）の画像形成装置は、上記発明Ａ１又はＡ２の画像形成装置において、前記転写面案内部材の前記接続部材との接触部位が、装着時に位置決め孔に嵌め入れる位置決め突起であるものである。
この発明（Ａ４）の画像形成装置は、上記発明Ａ３の画像形成装置において、前記電荷調整部の複数の接続部材が、前記位置決め孔に対応するとともに互いに異なる位置に設けられており、前記位置決め突起が、前記複数の転写面案内部材ごとに前記複数の接続部材の各位置に対応する異なる位置に設けられているものである。
【００１０】
この発明（Ａ５）の画像形成装置は、上記発明Ａ１からＡ４のいずれかの画像形成装置において、使用される記録媒体の種類を検出する第１検出手段と、前記第１検出手段の検出結果に応じて前記転写面案内部材の交換の要否およびその交換で使用すべき種類を判別して知らせる交換報知手段とを備えているものである。
この発明（Ａ６）の画像形成装置は、上記発明Ａ５の画像形成装置において、前記複数の転写面案内部材の種類をその装着時に検出する第２検出手段と、第２検出手段の検出結果が前記交換報知手段で判別された転写面案内部材の種類と整合しない場合に装着された転写面案内部材の種類が誤っていることを知らせる誤装着警告手段とを備えているものである。
この発明（Ａ７）の画像形成装置は、上記発明Ａ５又はＡ６の画像形成装置において、前記第１検出手段が記録媒体の固有の抵抗特性で分類した種類別に基づいて記録媒体の種類を検出し、前記交換報知手段が記録媒体の前記種類別に適合する転写面案内部材の種類を知らせるものである。
【００１１】
この発明（Ａ８）の画像形成装置は、上記発明Ａ１からＡ７のいずれかの画像形成装置において、前記転写部が、中間転写体に保持された現像剤像を記録媒体に静電的に転写する二次転写部であり、前記装着部が、前記中間転写体を支持する支持部材に設けられているものである。
この発明（Ａ９）の画像形成装置は、上記発明Ａ１からＡ８のいずれかの画像形成装置において、前記電荷調整部における異なる電荷調整処理が、接地処理、抵抗素子を介在させた接地処理、又は給電処理の３つの処理であり、前記電荷調整部における複数の接続部材が、前記３つの処理を個別に行う３つの接続部材として構成されているものである。
この発明（Ａ１０）の画像形成装置は、上記発明Ａ９の画像形成装置において、前記転写面案内部材のうち前記電荷調整部の給電処理を行う接続部材に接触させる接触部位を有する転写面案内部材は、記録媒体の転写面に接触する導電性の接触補助材が設けられているものである。
【発明の効果】
【００１２】
上記発明Ａ１の画像形成装置によれば、記録媒体の現像剤像が転写される転写面の電荷状態を、転写部の直前に配置される記録媒体の案内部材（転写面案内部材）を交換することで調整することができる。
【００１３】
上記発明Ａ２の画像形成装置では、保持誘導部材が設けられていない場合に比べて、転写面案内部材を交換するときの着脱作業を安定して容易に行うことができる。
上記発明Ａ３の画像形成装置では、転写面案内部材の装着作業と連動させて電荷調整部の接続部材との接触を遂行することができる。
上記発明Ａ４の画像形成装置では、転写面案内部材の装着作業に併せて、転写面案内部材と電荷調整部の接触させるべき接続部材との接触を正確な組み合わせで行うことができる。
【００１４】
上記発明Ａ５の画像形成装置では、画像形成動作に使用する記録媒体の種類を変更する場合に、転写面案内部材の交換の要否を知ることができ、またその交換が必要なときに変更後の記録媒体に適合する転写面案内部材の種類を知ることができる。
上記発明Ａ６の画像形成装置では、装着すべき転写面案内部材の種類が誤っていることを知ることができる。
上記発明Ａ７の画像形成装置では、固有の抵抗特性が異なる記録媒体に適合した転写面案内部材を使用して適切な電荷調整処理を行うことができる。
【００１５】
上記発明Ａ８の画像形成装置では、中間転写体およびその支持部材を画像形成装置の外部に引き出し可能に取り付けた場合は、中間転写体およびその支持部材の引き出しにより装着部も引き出された状態になり、転写面案内部材の着脱作業がしやすくなる。
上記発明Ａ９の画像形成装置では、転写部に導入される前の記録媒体の少なくとも転写面の電荷状態を、接地処理、抵抗素子を介在させた接地処理、又は給電処理を行うことで適切に調整することができる。
上記発明Ａ１０の画像形成装置では、記録媒体の少なくとも転写面に対して給電処理の電荷調整処理を安定して行うことができる。
【図面の簡単な説明】
【００１６】
【図１】実施の形態１等に係る画像形成装置の構成を示す概要図である。
【図２】図１の画像形成装置における二次転写部及び二次転写前の用紙案内部材の構成を示す概要図である。
【図３】図２の二次転写前の転写面案内部材とその装着部について転写面案内部材を取り外したときに装置斜め前方側から見た状態で示す概略斜視図である。
【図４】図２の二次転写前の転写面案内部材とその装着部について転写面案内部材を取り外したときに装置斜め後方側から見た状態で示す概略斜視図である。
【図５】図２の二次転写前の転写面案内部材とその装着部について転写面案内部材を装着したときに装置斜め前方側から見た状態で示す概略斜視図である。
【図６】図２の二次転写前の転写面案内部材とその装着部について転写面案内部材を装着したときに装置斜め後方側から見た状態で示す概略斜視図である。
【図７】（ａ）は１種類めの転写前案内部材と電荷調整部の一部の関係を示す概略平面図および断面説明図、（ｂ）は２種類目の転写前案内部材と電荷調整部の一部の関係を示す概略平面図および断面説明図、（ｃ）は３種類目の転写前案内部材と電荷調整部の一部の関係を示す概略平面図および断面説明図である。
【図８】（ａ）は図３の転写面案内部材およびその装着部について転写面案内部材を取り外したときの状態で示す正面図、（ｂ）は図３の転写面案内部材およびその装着部について転写面案内部材を装着したときの状態で示す正面図である。
【図９】図４の転写面案内部材およびその装着部と電荷調整部について転写面案内部材を取り外したときの状態で示す裏面図である。
【図１０】記録用紙の種類と使用すべき転写面案内部材の種類と電荷調整処理との関係を示す図表である。
【図１１】実施の形態２に係る画像形成装置の要部（追加の構成部分）を示す概要図である。
【図１２】（ａ）は転写前案内部材の他の構成例を示す概要図、（ｂ）は（ａ）の転写前案内部材を使用した状態の一例を示す概要図である。
【発明を実施するための形態】
【００１７】
以下、この発明を実施するための形態について図面を参照しながら説明する。
【００１８】
［実施の形態１］
図１および図２は、実施の形態１に係る画像形成装置を示している。図１はその画像形成装置の全体の概要を示し、図２はその画像形成装置における二次転写部および周辺部の概要を示している。
【００１９】
＜画像形成装置の全体の構成＞
画像形成装置１は、電子写真方式を採用して、文字、写真、図形等からなる画像情報に基づき現像剤で構成される画像を最終的に記録媒体の一例である記録用紙９に形成するものである。また、画像形成装置１は、例えば、外部接続機器、記憶媒体等の情報源から入力される画像情報に対応した画像を記録用紙９に形成して出力するプリンタとして構成されている。
【００２０】
そして、画像形成装置１は、図１に示されるように、全体が箱状の外観からなる筐体１０を有しており、その筐体１０の内部に、現像剤としてのトナーで構成される現像剤像であるトナー像を形成する作像装置２０と、作像装置２０で形成されたトナー像を一次転写により保持した後に記録用紙９に二次転写する二次転写位置まで搬送する中間転写装置３０と、中間転写装置３０の二次転写位置に供給すべき記録用紙９を収容するとともに供給する給紙装置４０と、中間転写装置３０で二次転写されたトナー像を記録用紙９に定着させる定着装置５０等が配置されている。
【００２１】
また、画像形成装置１は、筐体１０の外部又は内部に、画像形成装置１の動作に関する指示、条件等を入力する入力部１４ａとその動作の条件、状態等の各種情報を表示する表示部１４ｂを有する操作表示装置１４や、画像形成装置１の全体（上記の各装置など）の動作を総括して制御する中央制御装置１５等も配置されている。
筐体１０は、例えば、支持部材、外装材等の材料を用いて支持構造部や外装部が形成されている。図１に示す一点鎖線は、筐体１０の内部における記録用紙９の主な搬送経路である。
【００２２】
作像装置２０は、イエロー（Ｙ）、マゼンタ（Ｍ）、シアン（Ｃ）およびブラック（Ｋ）の４色のトナー像と特別色Ｓの１種類のトナー像とをそれぞれ専用に形成する５つの作像装置２０Ｙ，２０Ｍ，２０Ｃ，２０Ｋ，２０Ｓで構成されている。
この５つの作像装置２０（Ｓ，Ｙ，Ｍ，Ｃ，Ｋ）は、筐体１０の内部空間においてほぼ水平の方向に１列に並べた状態となるよう配置されている。また、各作像装置２０（Ｓ，Ｙ，Ｍ，Ｃ，Ｋ）は、扱う現像剤の種類が異なる点を除けば、以下に示すようにほぼ共通した構成になっている。
【００２３】
作像装置２０（Ｓ，Ｙ，Ｍ，Ｃ，Ｋ）はいずれも、図１に示されるように、矢印Ａで示す方向に回転駆動する像保持体の一例である感光ドラム２１をそれぞれ備えており、その各感光ドラム２１の周囲に支持部材を介して、帯電装置２２、露光装置２３、現像装置２４、一次転写装置２５、ドラム清掃装置２６、除電器２７等がこの順番でそれぞれ配置されている。図１では、代表して作像装置２０Ｋのみに、感光ドラム２１、帯電装置２２、露光装置２３、現像装置２４、一次転写装置２５、ドラム清掃装置２６、除電器２７の符号をすべて付している。
【００２４】
このうち、感光ドラム２１は、接地処理される円筒又は円柱状の導電性基材の周面に感光材料からなる光誘電層（感光層）を有する像形成面を形成したドラム形態の感光体である。
帯電装置２２は、感光ドラム２１の周面（像形成領域となる外周面部分）を所要の極性および電位に帯電させる接触帯電方式、非接触帯電方式等の装置である。
露光装置２３は、感光ドラム２１の帯電後の周面に、画像形成装置１に種々の方式で入力される画像情報に基づいて生成される画像信号に対応させた光を照射することにより各色線分（Ｓ，Ｙ，Ｍ，Ｃ，Ｋ）の静電潜像をそれぞれ形成する装置である。
【００２５】
現像装置２４（Ｓ，Ｙ，Ｍ，Ｃ，Ｋ）は、現像剤としての各色（Ｓ，Ｙ，Ｍ，Ｃ，Ｋ）のトナーを供給することにより、感光ドラム２１上の各色成分（Ｓ，Ｙ，Ｍ，Ｃ，Ｋ）の静電潜像をそれぞれ現像して各色成分（Ｓ，Ｙ，Ｍ，Ｃ，Ｋ）に対応した色のトナー像にする装置である。
一次転写装置２５は、感光ドラム２１上のトナー像を中間転写装置３０（の中間転写ベルト）に静電的に一次転写させる接触転写方式等の装置である。実施の形態１では、一次転写位置ＴＰ１になる中間転写ベルト３１の内周面部分に接触して従動回転する一次転写ロール２５１を適用している。この一次転写ロール２５１は、中間転写ベルト３１を支持するロールとしても機能する。
ドラム清掃装置２６は、感光ドラム２１の周面に付着して残留するトナー等の不要物を除去して清掃する装置である。
除電器２７は、例えば、感光ドラム２１の像形成面を露光等により除電（電荷の消失）をして表面電位をほぼゼロにするものである。
【００２６】
また、現像装置２４（Ｓ，Ｙ，Ｍ，Ｃ，Ｋ）はいずれも、トナーとキャリアを含む二成分現像剤を使用する現像装置が適用されている。上記特別色Ｓの現像剤としては、例えば、上記４色では表現が困難又は不可能であった色材等で構成されるものが使用される。実施の形態１では、特別色Ｓの現像剤として、白色のトナーを含む現像剤を採用している。
一次転写位置ＴＰ１は、感光ドラム２１のうち（後述する中間転写ベルト３１を介した状態で）一次転写装置２５と向き合う（又は接触する）部位になる。
また、画像形成装置１では、各作像装置２０（Ｓ，Ｙ，Ｍ，Ｃ，Ｋ）における感光ドラム２１と一次転写装置２５と中間転写装置３０の一部（中間転写ベルト３１）とで構成される部分が一次転写部２９になっている。
【００２７】
中間転写装置３０は、５つの作像装置２０（Ｓ，Ｙ，Ｍ，Ｃ，Ｋ）の下方側になる位置に配置されている。
この中間転写装置３０は、作像装置２０（Ｓ，Ｙ，Ｍ，Ｃ，Ｋ）における感光ドラム２１の一次転写位置ＴＰ１をそれぞれ通過した後に二次転写位置を通過しながら矢印Ｂで示す方向に回転するよう配置される中間転写ベルト３１を備えている。また、中間転写装置３０は、中間転写ベルト３１の周囲に、二次転写装置３５、ベルト清掃装置３６等が配置されている。
【００２８】
中間転写ベルト３１は、ポリイミド樹脂、ポリアミド樹脂等の基材にカーボン等の抵抗調整剤を分散してなる材料を用いて所要の厚さおよび電気抵抗値からなる無端ベルト状に成形されたものである。
また、中間転写ベルト３１は、複数の支持ロール３２ａ〜３２ｆに掛けまわされて回転自在に支持されている。支持ロール３２ａは駆動ロールとして、支持ロール３２ｂは駆動ロール３２ａと協働して中間転写ベルト３１の一次転写面を形成するよう保持する従動ロールとして、支持ロール３２ｃは中間転写ベルト３１に張力を付与するとともに中間転写ベルト３１の蛇行を矯正する張力付与兼蛇行矯正ロールとして、支持ロール３２ｄは二次転写バックアップロールとして、支持ロール３２ｅは清掃用バックアップロールとして、支持ロール３２ｆは中間転写ベルト３１の二次転写面を形成するよう保持する二次転写前従動ロールとして、それぞれ構成されている。
【００２９】
二次転写装置３５は、中間転写ベルト３１上に転写されたトナー像を記録用紙９に二次転写させる転写装置である。この二次転写装置３５としては、例えば、中間転写ベルト３１の二次転写バックアップロール３２ｄに支持されている外周面の像保持面部分に接触して従動回転するよう配置される二次転写ロール３５１を備えた接触型の転写装置が採用される。二次転写位置ＴＰ２は、中間転写ベルト３１のうち二次転写装置３５の二次転写ロール３５１が接触する部位になる。
ベルト清掃装置３６は、中間転写ベルト３１の外周面における像保持面に残留するトナー等の不要物をかきとって除去することで清掃する装置である。
【００３０】
実施の形態１における二次転写装置３５は、図２等に示されるように、二次転写ロール３５１と定着装置５０のある側に配置される支持ロール３５２とで二次転写ベルト３５３を回転自在に取り付けたベルト形態の二次転写装置を採用している。また、二次転写装置３５は、二次転写ロール３５１が接地処理されており、二次転写バックアップロール３２ｄに所要の二次転写電圧が供給される。
また、画像形成装置１では、中間転写装置３０における中間転写ベルト３１と二次転写装置３５と二次転写バックアップロール３２ｄとで構成される部分が二次転写部３９になっている。
【００３１】
給紙装置４０は、中間転写装置３０の下方側になる位置に配置されている。
この給紙装置４０は、所望のサイズ、種類等の記録用紙９が図示しない積載板の上に積み重ねた状態で収容される収容体４１と、その収容体４１から記録用紙９を１枚ずつ送り出す送出装置４２を備えている。収容体４１は、筐体１０に対して引き出し自在に取り付けられており、その引き出した状態において記録用紙９の補充や交換の作業ができるようになっている。収容体４１および送出装置４２の数は、必要に応じて増減される。
【００３２】
記録用紙９は、筐体１０内における搬送路による搬送が可能であってトナー像の転写および定着が可能な記録媒体である。このような記録媒体９としては、例えば、所定のサイズに裁断された普通紙、コート紙、はがき等の一般的な媒体のほか、ＰＥＴ等の合成樹脂からなる樹脂フィルム（シート）、金属層を有する金属紙（所謂メタリックペーパー）等をはじめとし、封筒等の特殊な媒体も使用することができる。
【００３３】
定着装置５０は、中間転写装置３０の下方側になる位置に配置されている。
この定着装置５０は、記録用紙９の導入口および排出口が形成された筐体５１の内部に、矢印で示す方向に回転するとともに表面温度が所定の温度に保持されるように加熱手段によって加熱されるロール形態又はベルト形態からなる加熱用回転体５２と、この加熱用回転体５２の軸方向にほぼ沿う状態で所定の圧力で接触して従動回転するロール形態又はベルト形態からなる加圧用回転体５３とを設置したものである。
この定着装置５０では、加熱用回転体５２と加圧用回転体５３とが接触する部分が、トナー像を保持する記録用紙９が導入されて定着処理（加熱および加圧）される定着処理部として構成されている。
【００３４】
また、画像形成装置１は、筐体１０の内部に主な用紙搬送路として、給紙装置４０と中間転写装置３０の二次転写位置ＴＰ２との間の用紙搬送を行う供給搬送路Ｒｔ１と、中間転写装置３０の二次転写位置ＴＰ２と定着装置５０の定着処理部との間の用紙搬送を行う中継搬送路Ｒｔ２と、定着装置５０の定着処理部と筐体１０の用紙排出口１１との間の用紙搬送を行う排出搬送路Ｒｔ３とが設けられている。図１中の符号１２は、用紙排出口１１から排出される記録用紙９を収容するトレイ等の排出収容部である。
【００３５】
供給搬送路Ｒｔ１は、複数の用紙搬送ロール対４３ａ〜４３ｅ等と図示しない複数の用紙案内部材等で構成されている。特に用紙搬送ロール対４３ｅは、記録用紙９を二次転写タイミングに合わせて回転して送り出す、所謂レジストロール対として構成されている。中継搬送路Ｒｔ２は、例えば、吸引式のベルト搬送装置４７で構成されている。排出搬送路Ｒｔ３は、複数の排出ロール対４８ａ，４８ｂ等と図示しない用紙案内部材で構成されている。
【００３６】
また、供給搬送路Ｒｔ１のレジストロール対４３ｅと二次転写位置ＴＰ２との間には、図２等に示されるように、レジストロール対４３ｅの排出側の位置に配置される第１用紙案内部材４４と、二次転写位置ＴＰ２の直前の位置に配置される第２用紙案内部材４５，４６が配置されている。特に第２用紙案内部材４５，４６は、第１用紙案内部材４４を通過して搬送される記録用紙９を、二次転写位置ＰＴ２にむけて所要の進入姿勢にして搬送するよう最終的な案内を行うようになっている。
【００３７】
第１用紙案内部材４４は、記録用紙９の転写面となる面側を案内する転写面案内部材４４ａと記録用紙９の非転写面となる面側を案内する非転写面案内部材４４ｂとで構成され、その案内部材４４ａ，４４ｂが搬送空間を確保するための間隔をあけて対向配置されている。また、第２用紙案内部材４５，４６は、記録用紙９の転写面となる面側を案内する転写面案内部材４５と記録用紙９の非転写面となる面側を案内する非転写面案内部材４６とで構成され、その案内部材４５，４６が搬送空間を確保するための間隔をあけて対向配置されている。
【００３８】
＜画像形成装置による画像形成動作＞
この画像形成装置１では、以下に説明する基本的な画像形成動作が行われる。ここでは、４色（Ｙ，Ｍ，Ｃ，Ｋ）のトナー像を組み合わせて構成されるフルカラー画像を形成する場合の動作を例にして説明する。
【００３９】
画像形成装置１は、例えば種々の接続手段（通信等も含む）で接続されている外部機器等から制御装置１５が画像形成動作の開始指令（信号）を受けると、４色（Ｙ，Ｍ，Ｃ，Ｋ）に対応する作像装置２０（Ｙ，Ｍ，Ｃ，Ｋ）においてトナー像を形成する作像動作が開始される。
【００４０】
まず、作像装置２０（Ｙ，Ｍ，Ｃ，Ｋ）では、各感光ドラム２１が矢印Ａで示す方向に回転始動し、各帯電装置２２が各感光ドラム２１の周面を所定の極性および電位（本例ではマイナス極性）に帯電させた後、各露光装置２３が各感光ドラム２１の帯電した周面に画像情報に基づく露光をそれぞれ行って各色（Ｙ，Ｍ，Ｃ，Ｋ）の静電潜像を個別に形成する。
しかる後、作像装置２０（Ｙ，Ｍ，Ｃ，Ｋ）では、現像装置２４（Ｙ，Ｍ，Ｃ，Ｋ）が、各感光ドラム２１の周面に形成された静電潜像にむけて所要の極性（本例ではマイナス極性）に帯電された各色（Ｙ，Ｍ，Ｃ，Ｋ）の現像剤であるトナーをそれぞれ供給して現像を行い、その静電潜像を各色（Ｙ，Ｍ，Ｃ，Ｋ）のトナー像として顕像化する。これにより、各感光ドラム２１上に対応する色（Ｙ，Ｍ，Ｃ，Ｋ）のトナー像が個別に形成される。
【００４１】
続いて、中間転写装置３０において、各作像装置２０（Ｙ，Ｍ，Ｃ，Ｋ）の感光ドラム２１上に形成された各色のトナー像が中間転写ベルト３１に一次転写された後に記録用紙９に二次転写される。
【００４２】
中間転写装置３０では、各作像装置２０（Ｙ，Ｍ，Ｃ，Ｋ）の感光ドラム２１上に形成された各色（Ｙ，Ｍ，Ｃ，Ｋ）のトナー像が一次転写位置ＴＰ１まで搬送されると、その一次転写位置ＴＰ１において各一次転写装置２５が矢印Ｂで示す方向に回転する中間転写ベルト３１の外周面に各色（Ｙ，Ｍ，Ｃ，Ｋ）のトナー像を次々と重ね合わせるように静電的に一次転写させる。各作像装置２０（Ｙ，Ｍ，Ｃ，Ｋ）の一次転写後等における各感光ドラム２１の像形成面は、各ドラム清掃装置２６がトナー等の不要物を除去することにより清掃された後、除電器２７により残った電荷が除去されて次のトナー像の作像工程に備える。
【００４３】
しかる後、中間転写装置３０では、中間転写ベルト３１が一次転写された各色（Ｙ，Ｍ，Ｃ，Ｋ）のトナー像が二次転写位置ＴＰ２まで搬送されると、その二次転写位置ＴＰ２において二次転写装置３５が二次転写電界を形成して、中間転写ベルト３１上のトナー像を給紙装置４０から供給搬送路Ｒｔ１を経由して搬送される記録用紙９に一括して静電的に二次転写させる。
この際、給紙装置４０では、画像形成動作に使用される記録用紙９が収容されている収容体４１から該当する記録用紙９が送出装置４２によって供給搬送路Ｒｔ１に送り出される。また、所要の収容体４１から送り出された記録用紙９は、供給搬送路Ｒｔ１におけるレジストロール対４３ｅにより二次転写タイミングに合わせて送り出された後、供給搬送路Ｒｔ１における第１用紙案内部材４４と第２用紙案内部材４５，４６とに接触等しながら案内されて二次転写位置ＴＰ２に導入される（図２）。図２において符号９ａは記録用紙９の表裏両面のうちトナー像が二次転写される側の面（例えば転写面）を示し、符号９ｂは転写面とは反対側の面（例えば非転写面）を示している。
【００４４】
続いて、中間転写装置３０における二次転写が終了すると、トナー像が二次転写された記録用紙９が、中間転写ベルト３１から剥離された後に中継搬送路Ｒｔ２を経由して定着装置５０に送り込まれるよう搬送される。
定着装置５０では、その記録用紙９が加熱用回転体５２と加圧用回転体５３の接触部分である定着処理部に導入されて通過する際に加熱および加圧される。これにより、トナー像を構成するトナーが加圧下で溶融されてトナー像が記録用紙９に定着される。
最後に、トナー像が定着された後の記録用紙９が、定着装置５０の筐体５１内から排出された後に排出搬送路Ｒｔ３を経由して用紙排出口１１まで搬送された後、用紙排出口１１から筐体１０の外部に排出されて排出収容部１２に収容される。
【００４５】
以上の動作が行われることにより、フルカラー画像が片面に形成された１枚の記録用紙９が出力される。また、複数枚の画像形成動作の要求指令を受けた場合は、その枚数分だけ上記画像形成動作が同様に繰り返して行われる。
【００４６】
この他、画像形成装置１では、上記画像形成動作において、４つの作像装置２０（Ｙ，Ｍ，Ｃ，Ｋ）のいずれか１つを作動させることにより単色の画像を形成することや、４つの作像装置２０（Ｙ，Ｍ，Ｃ，Ｋ）の２つ又は３つを組み合わせて作動させることによりフルカラー画像以外のカラー画像を形成することもできる。
【００４７】
また、画像形成装置１では、特別色Ｓの作像装置２０Ｓを単独で又は他の作像装置２０（Ｙ，Ｍ，Ｃ，Ｋ）の一部又は全部と組み合わせて作動させることにより特別色Ｓのトナー像や必要な他の色のトナー像を形成した後、その特別色Ｓのトナー像を単独で又は他の色（Ｙ，Ｍ，Ｃ，Ｋ）のトナー像と共に記録用紙９に二次転写および定着させることにより特別色Ｓ単独の画像や特別色Ｓと他の色（Ｙ，Ｍ，Ｃ，Ｋ）とを組み合わせた画像を形成することもできる。実施の形態１における特別色Ｓとしての白色のトナーで構成される画像は、例えば、上記した樹脂フィルムや金属紙をはじめ、白色を除く着色紙に対して形成することができる。
【００４８】
＜画像形成装置の詳細な構成＞
そして、画像形成装置１においては、二次転写位置ＴＰ２における記録用紙９へのトナー像の二次転写が安定して良好に行われるようにする観点から、二次転写バックアップロール３２ｄに供給する二次転写電圧を筐体１０内の温度および湿度等の条件に応じて変更する構成を採用しているが、それ以外にも、次の構成を採用している。
【００４９】
すなわち、画像形成装置１は、図３から図６、図９等に示されるように、供給搬送路Ｒｔ１の第２用紙案内部材でもある転写面案内部材４５を着脱自在に装着する装着部６０と、その装着部６０に装着されたときの転写面案内部材４５に接触して異なる電荷調整処理を与えるための複数の接続部材７２〜７４を有する電荷調整部７０とを備えている。
また、画像形成装置１は、図３から図９等に示されるように、その転写面案内部材４５として、記録用紙９に与える電荷調整処理に対応して使用される３つの転写面案内部材４５Ａ，４５Ｂ，４５Ｃが用意されている。しかも、その３つの転写面案内部材４５Ａ，４５Ｂ，４５Ｃは、そのうちの１つが装着部６０に装着されて使用されるとともに、その装着時に電荷調整部７０における複数の接続部材７２〜７４のうちの対応する１つの接続部材と接触する接触部位８２〜８４を有するよう構成されている。
【００５０】
上記電荷調整処理は、転写面案内部材４５を介して記録用紙９の転写面９ａの電荷状態を最終的に調整するための処理である。
また、上記３つの転写面案内部材４５Ａ，４５Ｂ，４５Ｃは、例えば、当初はそのうちの１つの転写面案内部材４５Ａが装着部６０に予め装着されており、残りの２つの転写面案内部材４５Ｂ，４５Ｃがその使用すべき時期が到来するまで未装着の状態で付属品として所定の場所（筐体１０の内部空間も含む）に保管されることになる。
【００５１】
◎装着部：
このうち、上記装着部６０は、図３、図４等に示されるように、転写面案内部材４５Ａ〜４５Ｃを着脱自在に装着するための部分である。
実施の形態１における装着部６０は、中間転写装置３０のベルト支持フレーム３８における二次転写位置ＴＰ２の手前の位置に、供給搬送路Ｒｔ１（の第２用紙案内部材でもある非転写面案内部材４６）と向き合う状態の部位として設けられている。また、この装着部６０は、例えば、画像形成装置１の筐体１０の前方（正面）側にある図示しない１つ又は複数の開閉扉を開けることで、その少なくとも前方側の端部が外部に露出して触れることが可能な状態になる。
上記ベルト支持フレーム３８は、中間転写ベルト３１を支持する複数の支持ロール３２ａ〜３２ｆや各作像装置２０（Ｓ，Ｙ，Ｍ，Ｃ，Ｋ）の一次転写装置２５における一次転写ロール２５１等を回転自在に支持している部材である。また、ベルト支持フレーム３８は、画像形成装置１の前方側に配置される前方フレーム部３８Ｆと画像形成装置１の後方（背面）側に配置される後方フレーム部３８Ｒとを有し、その前方フレーム部３８Ｆと後方フレーム部３８Ｒとが図示しない連結材等の部材により連結された構造になっている。
【００５２】
また、装着部６０は、図３〜図６、図８、図９等に示されるように、転写面案内部材４５Ａ〜４５Ｃをその着脱時に保持して誘導する保持誘導部材６２を設けた構成になっている。
【００５３】
保持誘導部材６２は、ベルト支持フレーム３８の前方フレーム部３８Ｆおよび後方フレーム部３８Ｒから垂下するようそれぞれ配置される前方側板部６３および後方側板部６４と、２つの前方側板部６３および後方側板部６４を連結するとともに転写面案内部材４５Ａ〜４５Ｃをその着脱作業時に案内するガイド溝６６を有する連結支持部６５とで構成される構造物である。
この保持誘導部材６２は、装着部６０に常設されている。また、保持誘導部材６２は、その前方側板部６３および後方側板部６４と連結支持部６５とが非導電性の部材で構成されている。
【００５４】
ここで、前方側板部６３および後方側板部６４はいずれも、外形が台形を横転させた状態の形状からなる板状の部分である。
また、前方側板部６３および後方側板部６４は、その二次転写位置ＴＰ２とは反対側の端部の下方にガイド溝６６に対応する切り込み溝６３ａ，６４ａとが形成され、またその下端部に転写面案内部材４５Ａ〜４５Ｃにおける接触部位８２〜８４を通過させる横長の切り欠き部６３ｂ，６４ｂが形成されている。
さらに、前方側板部６３は、その切り欠き部６３ｂの上方部分に、転写面案内部材４５Ａ〜４５Ｃの後述する前方取付け部（４５６）を取り付けて固定するための長孔６３ｃやネジ孔６３ｄが設けられている。
図３、図４、図８、図９等における符号６７，６８は、前方側板部６３と後方側板部６４を、ベルト支持フレーム３８の前方フレーム部３８Ｆと後方フレーム部３８Ｒにそれぞれ取り付けて固定する際に使用するネジ孔又は固定ネジを示す。
【００５５】
連結支持部６５は、細長い板材をガイド溝６６が形成されるよう曲げ加工した部材で構成された部分であり、その曲げ加工した部材の長手方向の両端部が前方フレーム部３８Ｆと後方フレーム部３８Ｒにそれぞれ接合されている。
ガイド溝６６は、転写面案内部材４５Ａ〜４５Ｃの着脱方向Ｄ１，Ｄ２に沿って直線状に延びる溝として形成されている。
ちなみに、着脱方向Ｄ１，Ｄ２における装着方向Ｄ１は、画像形成装置１の前方側から後方側に向けて例えば二次転写バックアップロール３２ｄの軸方向（又は中間転写ベルト３１の回転方向Ｂと直交するベルトの幅方向）とほぼ平行に延びる方向である。また、着脱方向Ｄ１，Ｄ２における離脱（取り外し）方向Ｄ２は、装着方向Ｄ１と反対側の方向である。
【００５６】
◎電荷調整部：
上記電荷調整部７０は、図４、図６、図７、図９等に示されるように、ベルト支持フレーム３８の後方フレーム部３８Ｒに、装着部６０の後方側部分と向き合う状態で配置されている。より具体的には、電荷調整部７０は、後方フレーム部３８Ｒに、保持誘導部材６２における後方側板部６４の更に後方側から装着部６０の後方側部分と向き合う状態で配置されている。
【００５７】
実施の形態１における電荷調整部７０は、ベルト支持フレーム３８の後方フレーム部３８Ｒの下端に垂下する状態で取り付けられ、保持誘導部材６２における後方側板部６４と転写面案内部材４５Ａ〜４５Ｃの後述する共通の位置決め突起（８１）とに対向する部位を有する形状の支持基板７１上に設けられている。支持基板７１は、例えば非導電性の部材で構成されている。また、支持基板７１は、例えば固定ネジ等の固定手段７０１によりベルト支持フレーム３８の後方フレーム部３８Ｒに固定されている（図４、図９）。
【００５８】
支持基板７１の下端部には、転写面案内部材４５Ａ〜４５Ｃの後述する位置決め突起（８１，８２，８３，８４）がそれぞれ嵌め入れられる４つの位置決め孔７５Ａ，７５Ｂ，７５Ｃ，７５Ｄが設けられている。
４つの位置決め孔７５（Ａ，Ｂ，Ｃ，Ｄ）のうち１つの位置決め孔７５Ａは、転写面案内部材４５Ａ〜４５Ｃに設けられる後述する共通の位置決め突起（８１）が嵌め入れられる共通の位置決め孔である。
残りの３つの位置決め孔７５（Ｂ，Ｃ，Ｄ）は、転写面案内部材４５Ａ〜４５Ｃに設けられる後述する個別の位置決め突起（８２，８３，８４）が嵌め入れられる個別の位置決め孔である。個別の位置決め孔７５（Ｂ，Ｃ，Ｄ）は、転写面案内部材４５Ａ〜４５Ｃにおける個別の位置決め突起（８２，８３，８４）と対応する位置に配置されるが、共通の位置決め孔７５Ａから互いに異なる所定の距離だけそれぞれ離れた各位置に配置される。
【００５９】
また、この電荷調整部７０では、上記個別の位置決め孔７５（Ｂ，Ｃ，Ｄ）が転写面案内部材４５Ａ〜４５Ｃにそれぞれ接触した際に異なる電荷調整処理を与えるための複数の接続部材７２〜７４として構成されている。
実施の形態１における接続部材７２〜７４は、電荷調整処理として以下に説明するように接地処理、抵抗素子を介在させた接地処理、および給電処理のいずれかの処理を行うように構成されている。
【００６０】
接続部材７２は、接地処理を行う第１の接続部材として構成されている。この第１の接続部材７２は、図９等に示されるように、支持基板７１における個別の位置決め孔７５Ｂと対応する位置に固定される当該位置決め孔７５Ｂと同じ孔径からなる円環状の接触端子７２１と、画像形成装置１（又は中間転写装置３０）において既に接地処理されている部分である接地済み端子７６と、その接触端子７２１と接地済み端子７６との間を電気的に接続する接続線７２２とで構成されている。
【００６１】
接続部材７３は、抵抗素子を介在させた接地処理を行う第２の接続部材として構成されている。この第２の接続部材７３は、図９等に示されるように、支持基板７１における個別の位置決め孔７５Ｃと対応する位置に固定される当該位置決め孔７５Ｃと同じ孔径からなる円環状の接触端子７３１と、上記接地済み端子７６と、その接触端子７３１と接地済み端子７６とを抵抗素子７７を介在させて電気的に接続する接続線７３２とで構成されている。
【００６２】
接続部材７４は、接地処理を行う第３の接続部材として構成されている。
具体的には、第３の接続部材７４は、図９等に示されるように、支持基板７１における個別の位置決め孔７５Ｄと対応する位置に固定される当該位置決め孔７５Ｄと同じ孔径からなる円環状の接触端子７４１と、画像形成装置１（又は中間転写装置３０）において図示しない給電手段から供給される所望の電流を流す給電回路等を備えた電荷調整用の給電部７８と、その接触端子７４１と給電部７８との間を電気的に接続する接続線７４２とで構成されている。
【００６３】
◎転写面案内部材：
上記３つの転写面案内部材４５Ａ，４５Ｂ，４５Ｃはいずれも、装着部６０（の保持誘導部材６２）に装着して使用することができるものであり、電荷調整部７０における接続部材７２〜７４のいずれか１つと接触する接触部位８２〜８４が異なるのみで、それ以外の部分は同じ構成からなるものである。
【００６４】
実施の形態１における転写面案内部材４５Ａ，４５Ｂ，４５Ｃはいずれも、図３、図４、図７〜図９等に示されるように、供給搬送路Ｒｔ１における記録用紙９の搬送方向Ｓと直交する方向（又は中間転写ベルト３１の回転方向Ｂと直交するベルトの幅方向）に長いガイド面４５０を有する本体部４５１と、本体部４５１の長手方向の両端部において二次転写位置ＴＰ２に向けて突出するように延びる両端の端部４５２，４５３とを有する部材である。
本体部４５１と端部４５２，４５３とは、導電性を有する部材で構成されている。
【００６５】
本体部４５１には、上方に立ち上がった後に二次転写位置ＴＰ２に向かう方向（又は記録用紙９の搬送方向Ｓ）に折り曲げられた面形状からなり、保持誘導部材６２におけるガイド溝６６に嵌め入れられて案内される被ガイド面部４９が形成されている。
【００６６】
後方側の端部４５３には、転写面案内部材４５Ａ，４５Ｂ，４５Ｃ（の後方側の端部）を装着部６０（保持誘導部材６２）に装着したときの正式な取り付け位置に最終的に位置決めするための共通の位置決め突起８１と個別の位置決め突起８２〜８４とが配置されている。
【００６７】
共通の位置決め突起８１は、電荷調整部７０の支持基板７１に設けられている共通の位置決め孔７５Ａに嵌め入れて位置決めを行うための突起である。この共通の位置決め突起８１は、例えば、本体部４５１の被ガイド面部４９の後方端部から延長した部位を起立させるよう折り曲げた鉛直面部分４５４に、先端が先細りになった円柱部材を外側にむけて突出させた状態で固定したものである。
【００６８】
また、個別の位置決め突起８２〜８４は、電荷調整部７０の支持基板７１に設けられている個別の位置決め孔７５Ｂ，７５Ｃ，７５Ｄのいずれか１つに嵌め入れて位置決めを行うとともに、電荷調整部７０における３つの接続部材７２，７３，７４のいずれか１つと専用に接続するための突起である。この個別の位置決め突起８２〜８４は、後方側の端部４５３の異なる部分から延長した各部位を起立させるよう折り曲げた鉛直面部分４５５に、円柱状の部材を外側にむけて突出させた状態で固定したものである。また、この個別の位置決め突起８２〜８４は、導電性を有する部材で構成されている。
【００６９】
一方、前方側の端部４５２には、転写面案内部材４５Ａ，４５Ｂ，４５Ｃの着脱作業時に手で持って操作する操作把持部を兼ねた前方取付部４５６が設けられている。
前方取付部４５６は、前方側の端部４５２の一部分から延長した部位を起立させるよう折り曲げた鉛直面部分に図示しない他の部材（非導電性の部材）を固定したものである。
【００７０】
また、前方取付部４５６には、保持誘導部材６２の前方側板部６３に設けられている長孔６３ｃに嵌め入れられる円柱状の位置決め補助突起４５７が、内側にむけて突出した状態で設けられている。さらに、前方取付部４５６には、保持誘導部材６２の前方側板部６３に設けられているネジ孔６３ｄに嵌め入れて固定されるネジのネジ孔又は固定ネジ４５８が設けられている。
ちなみに、ネジ孔又は固定ネジ４５８は、保持誘導部材６２の前方側板部６３におけるネジ孔６３ｄに固定することにより、転写面案内部材４５Ａ，４５Ｂ，４５Ｃの前方側の端部をその正式な取り付け位置に位置決めすることになる。
【００７１】
＜転写面案内部材の使い分けと交換作業＞
そして、この画像形成装置１においては、図１０に例示するように、３つの転写面案内部材４５Ａ，４５Ｂ，４５Ｃについて、画像形成動作で使用される記録用紙９の種類に応じて使い分けるように構成されている。
つまり、３つの転写面案内部材４５Ａ，４５Ｂ，４５Ｃは、使用される記録用紙９の種類に応じて使用すべきもの（種類）が予め決められていて、その記録用紙９の種類により交換して装着部６０に装着される。
【００７２】
また、この転写面案内部材４５Ａ，４５Ｂ，４５Ｃを交換することにより、二次転写位置ＴＰ２に導入される直前の記録用紙９がその各転写面案内部材４５Ａ，４５Ｂ，４５Ｃにそれぞれ接触又は接近して通過した際に、その各記録用紙９の転写面９ａに対して電荷調整部７０による異なる電荷調整処理が記録用紙９の種類に応じて適切に行われるようになっている。
【００７３】
このとき記録用紙９の種類は、その記録用紙９の固有の抵抗特性で分類している。実施の形態１では、その種類として、中間の抵抗特性の用紙（例えば普通紙、コート紙など）、低い抵抗特性の用紙（例えば金属紙など）および高い抵抗特性の用紙（例えば樹脂フィルム）という３種類を採用している。
ここで、中間の抵抗特性とは、低い抵抗特性と高い抵抗特性の間の抵抗特性である。また、低い抵抗特性とは、例えば記録用紙９の転写面９ａの表面抵抗率が１０10Ω／□よりも低いものである。一方、高い抵抗特性とは、例えば記録用紙９の転写面９ａの表面抵抗率が１０12Ω／□を超えるものである。
【００７４】
◎転写面案内部材４５Ａの使用：
転写面案内部材４５Ａは、記録用紙９として図１０に示す中間の抵抗特性からなる記録用紙９Ａ（普通紙など）を用いて画像形成を行う場合に、装着部６０に取り付けて使用される。
【００７５】
この場合、仮に転写面案内部材４５Ａが装着部６０に未装着であるときには、画像形成装置１の利用者が３つの転写面案内部材４５Ａ〜４５Ｃのなかから転写面案内部材４５Ａを選んで装着部６０に装着することになる。
このときの転写面案内部材４５Ａの装着作業は、装着部６０における保持誘導部材６２を利用して行われる。
【００７６】
その装着に際しては、まず、転写面案内部材４５Ａにおける被ガイド面部４９を保持誘導部材６２におけるガイド溝６６に挿し込んだ後、その転写面案内部材４５Ａ全体を画像形成装置１の前方側から後方側にむけた装着方向Ｄ１に沿って押し込むように移動させる（図５、図８）。
【００７７】
これにより、転写面案内部材４５Ａは、被ガイド面部４９が保持誘導部材６２におけるガイド溝６６に規制されるよう誘導され、画像形成装置１の後方にむけてほぼ直線的に安定して移動する。
また、このとき転写面案内部材４５Ａの後方側で上方に突出している個別の位置決め突起８２とその取付場所の鉛直面部分４５５が、保持誘導部材６２の前方側板部６３および後方側板部６４における切り欠き部６３ｂ，６４ｂを順次くぐり抜けるよう通過する。
【００７８】
したがって、この装着の際には、転写面案内部材４５Ａの一部が中間転写ベルト３１や他の周辺部分に接触して、転写面案内部材４５Ａ自体が損傷するおそれや、中間転写ベルト３１等の周辺部品を損傷させたりするおそれがない。また、装着する転写面案内部材４５Ａと中間転写ベルト３１の間に保持誘導部材６２が介在するので、その装着する転写面案内部材４５Ａの一部が中間転写ベルト３１に接触することを確実に防止できる。
【００７９】
続いて、転写面案内部材４５Ａの後方側の端部にある共通の位置決め突起８１と個別の位置決め突起８２が、電荷調整部７０の支持基板７１にある共通の位置決め孔７５Ａと個別の位置決め孔７５Ｃにそれぞれ嵌め入れられて、転写面案内部材４５Ａの後方側部分の位置決めが始まる（図６、図７（ａ））。
また、このときほぼ同時に、転写面案内部材４５Ａの前方側の端部にある前方取付部４５６にある位置決め補助突起４５７が、保持誘導部材６２の前方側板部６３にある長孔６３ｃに嵌め入れられる。
【００８０】
最後に、転写面案内部材４５Ａの前方取付部４５６にあるネジ孔４５８を保持誘導部材６２の前方側板部６３にあるネジ孔６３ｄに一致するよう位置の調整をした後、固定ネジをネジ孔４５８に差し入れてネジ止めする。これにより、転写面案内部材４５Ａの前方側の端部における前方取付部４５６が、前方側板部６３に対して固定された状態になる（図５、図８（ｂ））。
【００８１】
以上により、転写面案内部材４５Ａは、図５、図６等に示されるように、保持誘導部材６２などを介して装着部６０に装着される。
【００８２】
転写面案内部材４５Ａは、装着部６０に装着されると、その個別の位置決め突起８２が、電荷調整部７０の支持基板７１にある個別の位置決め孔７５Ｃに嵌め入れられることに加えて電荷調整部７０における第２の接続部材７３（の接触端子７３１）と接続した状態になる（図６、図７（ａ））。
この結果、転写面案内部材４５Ａは、装着部６０において、電荷調整部７０による抵抗素子７７を介在させた接地処理がされる状態に保たれる（図９、図１０）。
【００８３】
そして、画像形成装置１では、転写面案内部材４５Ａを装着部６０に装着したうえで、中間の抵抗特性を示す記録用紙９Ａを用いた画像形成動作が実行されると、その記録用紙９Ａが供給搬送路Ｒｔ１を経由して二次転写位置ＴＰ２に導入される直前に、その転写面９ａが転写面案内部材４５Ａ（の案内面４５０）に接触又は接近した状態で通過する（図２）。
【００８４】
これにより、中間の抵抗特性を示す記録用紙９Ａの転写面９ａは、二次転写位置ＴＰ２に導入されるまでの間に第１用紙案内部材４４等との接触により帯電されることがあっても、抵抗素子７７を介在させて接地処理がされている転写面案内部材４５Ａを通過することにより、その転写面９ａに電荷が積極的に与えられることやその転写面９ａから（接地により）電荷が除去されることがない状態に保たれる。このため、この中間の抵抗特性を示す記録用紙９Ａの転写面９ａに対する二次転写が良好に行われる。
【００８５】
◎転写面案内部材４５Ｂの使用：
次に、転写面案内部材４５Ｂは、記録用紙９として図１０に示す低い抵抗特性からなる記録用紙９Ｂ（金属紙など）を使用した画像形成を行う場合に、装着部６０に取り付けて使用される。
【００８６】
この場合、装着部６０に転写面案内部材４５Ａが既に装着されているときには、画像形成装置１の利用者が、その転写面案内部材４５Ａを装着部６０から取り外した後に、転写面案内部材４５Ｂを装着部６０に交換して装着することになる。
このときの転写面案内部材４５Ａの離脱（取り外し）作業は、その装着作業のときと同様に、装着部６０における保持誘導部材６２を利用して行うことができる。
【００８７】
取り外しに際しては、まず、転写面案内部材４５Ａにおける前方取付部４５６が保持誘導部材６２における前方側板部６３に対して固定されている固定を解除する。つまり、ネジ止めした固定ネジを前方取付部４５６にあるネジ孔４５８から取り外す。
【００８８】
続いて、転写面案内部材４５Ａ全体を画像形成装置１の前方である離脱方向Ｄ２に沿って引き抜くように移動させる。
この際、転写面案内部材４５Ａの後方側の端部にある共通の位置決め突起８１と個別の位置決め突起８２が、電荷調整部７０の支持基板７１にある共通の位置決め孔７５Ａと個別の位置決め孔７５Ｃからそれぞれ引き抜かれる（図７（ａ））。
また、このときほぼ同時に、転写面案内部材４５Ａの前方取付部４５６にある位置決め補助突起４５７が、保持誘導部材６２の前方側板部６３にある長孔６３ｃから抜き出される。
【００８９】
続いて、転写面案内部材４５Ａは、その被ガイド面部４９が保持誘導部材６２におけるガイド溝６６に規制されるよう誘導され、画像形成装置１の後方側から前方側にむけた離脱方向Ｄ２に対してほぼ直線的に安定して移動させられる。
また、このとき転写面案内部材４５Ａの後方側で上方に突出している個別の位置決め突起８２とその取り付け場所である鉛直面部分４５５が、保持誘導部材６２の後方側板部６４および前方側板部６３における切り欠き部６４ｂ，６３ｂを順次くぐり抜けるよう通過する。
最後に、転写面案内部材４５Ａにおける被ガイド面部４９を保持誘導部材６２におけるガイド溝６６から引き抜く。
【００９０】
したがって、この取り外し作業のときにも、装着作業のときとほぼ同様に、転写面案内部材４５Ａの一部が中間転写ベルト３１や他の周辺部分に接触して、転写面案内部材４５Ａ自体が損傷するおそれや、中間転写ベルト３１等の周辺部品を損傷させたりするおそれがない。また、取り外す転写面案内部材４５Ａと中間転写ベルト３１の間に保持誘導部材６２が介在するので、その取り外す転写面案内部材４５Ａの一部が中間転写ベルト３１に接触することを確実に防止できる。
【００９１】
以上により、装着されていた転写面案内部材４５Ａが、図３、図４等に示されるように、装着部６０（保持誘導部材６２など）から取り外される。
【００９２】
続いて、使用すべき転写面案内部材４５Ｂを装着部６０に装着する。
このときの装着作業は、次の点が少し異なるのみで、それ以外については上記転写面案内部材４５Ａの装着作業と同様に行われる。
【００９３】
転写面案内部材４５Ｂの装着に際しては、その後方側の端部にある共通の位置決め突起８１と個別の位置決め突起８３が、電荷調整部７０の支持基板７１にある共通の位置決め孔７５Ａと個別の位置決め孔７５Ｂにそれぞれ嵌め入れられて、転写面案内部材４５Ｂの後方側部分の位置決めがなされる（図６、図７（ｂ））。
【００９４】
転写面案内部材４５Ｂは、装着部６０に装着されると、その個別の位置決め突起８３が、電荷調整部７０の支持基板７１にある個別の位置決め孔７５Ｂに嵌め入れられることに加えて電荷調整部７０における第１の接続部材７２（の接触端子７２１）と接続した状態になる（図７（ｂ））。
この結果、転写面案内部材４５Ｂは、装着部６０において、電荷調整部７０による通常の接地処理（抵抗素子などを介在させない接地処理）がされる状態に保たれる（図９、図１０）。
【００９５】
そして、画像形成装置１では、転写面案内部材４５Ｂを装着部６０に装着したうえで、低い抵抗特性からなる記録用紙９Ｂを用いた画像形成動作が実行されると、その記録用紙９Ｂが供給搬送路Ｒｔ１を経由して二次転写位置ＴＰ２に導入される直前に、その転写面９ａが転写面案内部材４５Ｂに接触又は接近した状態で通過する（図２）。
【００９６】
これにより、低い抵抗特性を示す記録用紙９Ｂの転写面９ａは、抵抗素子７７を介在させずに接地された状態にある転写面案内部材４５Ｂを通過することにより、その電荷状態が一定に保たれるように調整される。このため、この低い抵抗特性を示す記録用紙９Ｂの転写面９ａに対する二次転写が良好に行われる。
【００９７】
◎転写面案内部材４５Ｃの使用：
次に、転写面案内部材４５Ｃは、記録用紙９として図１０に示す高い抵抗特性からなる記録用紙９Ｃ（樹脂フィルムなど）を使用した画像形成を行う場合に、装着部６０に取り付けられて使用される。
【００９８】
この場合、装着部６０に他種の転写面案内部材４５Ａ，４５Ｂが既に装着されているときには、画像形成装置１の利用者がその転写面案内部材４５Ａ，４５Ｂを装着部６０から取り外した後に、転写面案内部材４５Ｃを装着部６０に装着することになる。
また、このときの転写面案内部材４５Ａ，４５Ｂの離脱（取り外し）作業は、上述した転写面案内部材４５Ａの取り外し作業のときとほぼ同様に、装着部６０における保持誘導部材６２を利用して行うことができる。
【００９９】
例えば、転写面案内部材４５Ｂを取り外す場合は、その取り外し作業の過程において、転写面案内部材４５Ｂの後方側の端部にある共通の位置決め突起８１と個別の位置決め突起８３が、電荷調整部７０の支持基板７１にある共通の位置決め孔７５Ａと個別の位置決め孔７５Ｂからそれぞれ引き抜かれる点（図７（ｂ））で異なる以外は、転写面案内部材４５Ａの取り外し作業時と同様に行われる。
【０１００】
また、転写面案内部材４５Ａ，４５Ｂを装着部６０（保持誘導部材６２など）から取り外した後は、使用すべき転写面案内部材４５Ｃを装着部６０に装着する。
このときの装着作業は、次の点が少し異なるのみで、それ以外については上記転写面案内部材４５Ａ，４５Ｂの装着作業の場合と同様に行われる。
【０１０１】
つまり、この転写面案内部材４５Ｃの装着に際しては、その後方側の端部にある共通の位置決め突起８１と個別の位置決め突起８４が、電荷調整部７０の支持基板７１にある共通の位置決め孔７５Ａと個別の位置決め孔７５Ｄにそれぞれ嵌め入れられて、転写面案内部材４５Ｃの後方側部分の位置決めがなされる（図６、図７（ｃ））。
【０１０２】
転写面案内部材４５Ｃは、装着部６０に装着されると、その個別の位置決め突起８４が、電荷調整部７０の支持基板７１にある個別の位置決め孔７５Ｄに嵌め入れられることに加えて電荷調整部７０における第３の接続部材７４（の接触端子７４１）と接続した状態になる（図７（ｃ））。
この結果、転写面案内部材４５Ｃは、装着部６０において、電荷調整部７０による給電処理がされる状態に保たれる（図９、図１０）。
【０１０３】
そして、画像形成装置１では、転写面案内部材４５Ｃを装着部６０に装着したうえで、高い抵抗特性からなる記録用紙９Ｃを用いた画像形成動作が実行されると、その記録用紙９Ｃが供給搬送路Ｒｔ１を経由して二次転写位置ＴＰ２に導入される直前に、その転写面９ａが転写面案内部材４５Ｃに接触又は接近した状態で通過する（図２）。
【０１０４】
これにより、高い抵抗特性を示す記録用紙９Ｃの転写面９ａは、電荷調整用の給電部７８に接続されている転写面案内部材４５Ｃを通過することにより積極的に除電され、その転写面９ａの電荷状態が二次転写前に一定の状態に保たれる。このため、その二次転写は、例えば二次転写電圧の調整をしただけでは例えばトナーの局所的なプレギャップ転写のような転写不良が発生することがあったが、このような転写不良を誘発することなく良好に行われる。
【０１０５】
また特に、この樹脂フィルム等の記録用紙９Ｃを使用して特別色Ｓである白色のトナーからなる画像を形成した場合、前記転写面案内部材４５Ａのような抵抗素子７７を介在させた接地処理を行ったうえで二次転写部３９における二次転写バックアップロール３２ｄに供給する二次転写電圧を調整するという対応のみでは、記録用紙９Ｃにプラス極性に帯電した部分が局所的に発生し、例えばライン飛び散りのような特有の転写不良が発生することを抑制することができなかった。
しかし、転写面案内部材４５Ａに代えて転写面案内部材４５Ｃを装着部６０に装着したうえで白色トナーからなる画像を記録用紙９Ｃに形成した場合は、上記特有の転写不良の発生が抑制されて良好な二次転写を行うことができ、ひいては二次転写不良のない画像形成を行うことができる。
【０１０６】
以上説明したように、実施の形態１に係る画像形成装置１によれば、記録用紙９（Ａ〜Ｃ）の転写面９ａの電荷状態について、二次転写部３９の直前に配置される転写面案内部材４５（Ａ〜Ｃ）を適切に交換することにより容易に調整することができる。
このため、この画像形成装置１では、異なる種類の記録用紙９（Ａ〜Ｃ）を用いた画像形成動作を行う場合であっても、そのいずれの記録用紙９（Ａ〜Ｃ）に対しても転写面９ａの電荷状態が適切に調整されるので転写不良の発生が抑制された良好な二次転写を行うことができ、ひいては二次転写不良のない画像形成を行うことができる。
【０１０７】
なお、この画像形成装置１は、中間転写装置３０における少なくとも一部（中間転写ベルト３１、その支持ロール３２ａ〜３２ｆ、一次転写装置２５（一次転写ロール）、支持フレーム３８など）を筐体１０の外部に引き出すよう移動させることができるように構成することができる。
このように構成した場合は、例えば、転写面案内部材４５（Ａ〜Ｃ）の交換（着脱）作業を行うときに、その中間転写装置３０における少なくとも一部を引き出した状態にすれば、装着部６０も筐体１０の外部に引き出された状態になる。この結果、転写面案内部材４５（Ａ〜Ｃ）の着脱作業がしやすくなる。
【０１０８】
［実施の形態２］
図１１は、実施の形態２に係る画像形成装置の要部を示すものである。
【０１０９】
＜基本的な構成＞
実施の形態２に係る画像形成装置は、図１１に示されるように、画像形成動作に使用される記録用紙９の種類を検出する第１検出手段１６と、その第１検出手段１６の検出結果に応じて転写面案内部材４５の交換の要否とその交換のときに使用すべき転写面案内部材４５の種類（４５Ａ，４５Ｂ，４５Ｃ）を知らせる交換検知手段１７を備えている点で相違するのみで、それ以外については実施の形態１に係る画像形成装置１と同じ構成からなるものである。
図１１における符号３７は、二次転写電圧を供給する二次転写給電装置（給電部）を示している。
【０１１０】
＜第１検出手段の構成＞
第１検出手段１６は、３つの転写面案内部材４５（Ａ〜Ｃ）を使用すべき記録用紙９の種類を検出することができるものであればよい。このときの記録用紙９の種類は、例えば実施の形態１で例示した固有の抵抗特性で分類した種類（抵抗特性そのものではなく、各抵抗特性で予め分かれる記録用紙９の名称など）が適用される。
【０１１１】
このような第１検出手段１６としては、例えば、図１１に例示されるように、画像形成動作に使用する記録用紙９の種類を操作表示装置１４における表示部１４ｂに表示される選択画面とその入力部１４ａからの入力操作で利用者により選択してもらうことで認識させる手段１６Ａや、画像形成装置１に接続されている外部機器から発信する画像形成動作の指示内容のなかに記録用紙９の種類を選択入力した情報を盛り込んで画像形成装置１側に知らせる手段が挙げられる。また第１検出手段１６としては、その他にも、給紙装置４０において収容体４１に収容する記録用紙９の種類を利用者が選択する操作をしてもらうことで認識させる手段１６Ｂ等であってもよい。
第１検出手段１６の検出情報は、中央制御装置１５を介して交換検知手段１７に入力される。
【０１１２】
＜交換検知手段の構成＞
交換検知手段１７は、例えば、図１０に例示する記録用紙９の種類と転写面案内部材４５の種類との関係を示す対照情報に基づき、転写面案内部材４５の交換の要否とその交換のときに使用すべき転写面案内部材４５の種類を判別するとともにその判別した結果を報知する機能を備えた手段である。このような交換検知手段１７は、中央制御装置１５の制御動作の一部として機能するようにソフトウエアとして構成されるか、あるいは、図１１に例示するように中央制御装置１５とは独立した機能装置として構成される。
【０１１３】
＜動作＞
実施の形態２に係る画像形成装置１では、画像形成動作の開始前等において第１検出手段１６により記録用紙９の種類が検出されると、交換検知手段１７が、直前の画像形成動作で使用された記録用紙９の種類と第１検出手段１６で検出された記録用紙９の種類とを対比する。
【０１１４】
この際、交換検知手段１７においてその対比する記録用紙９の種類どうしが上記対照情報から同じ又は同類の種類と認識された場合は、転写面案内部材４５の交換が不要であると判別される。また、交換検知手段１７においてその対比する記録用紙９の種類どうしが同類の種類でないと認識された場合は、転写面案内部材４５の交換が必要であると判別される。しかも、この交換が必要であると判別されたときは、交換検知手段１７においてその交換で使用すべき転写面案内部材４５の種類（４５Ａ，４５Ｂ，４５Ｃ）が上記対照情報に基づいて判別される。
【０１１５】
次いで、交換検知手段１７は、このときの判別した結果を中央制御装置１５に送信すると、例えば中央制御装置１５の制御動作により操作表示装置１４における表示部１４ｂにその判別した結果が表示される。
【０１１６】
したがって、この画像形成装置１によれば、画像形成動作に使用する記録用紙９の種類を変更する場合に、利用者が転写面案内部材４５の交換の要否を知ることができ、またその交換が必要なときに変更後の記録用紙９（の種類）に適合する転写面案内部材４５の種類（４５Ａ，４５Ｂ，４５Ｃ）を知ることができる。
これにより、記録用紙９の種類を変更して画像形成動作を行う場合でも、転写面案内部材４５の交換の要否やその交換で使用すべき転写面案内部材４５の種類（４５Ａ，４５Ｂ，４５Ｃ）が効率よくわかり利便性が確保され、また、転写面案内部材４５の交換を適切に行うことができる。
【０１１７】
＜追加の構成＞
また、この画像形成装置１では、図１１に示されるように、３つの転写面案内部材４５の種類（４５Ａ，４５Ｂ，４５Ｃ）をその装着時に検出する第２検出手段１８と、その第２検出手段１８の検出結果が交換検知手段１７で判別された転写面案内部材４５の種類（４５Ａ，４５Ｂ，４５Ｃ）と整合しない場合に装着された転写面案内部材４５の種類が誤っていることを知らせる誤装着警告手段１９を追加して装備することができる。
【０１１８】
＜第２検出手段の構成＞
第２検出手段１８は、３つの転写面案内部材４５の種類（４５Ａ，４５Ｂ，４５Ｃ）をその装着途中や装着完了時に検出（識別）することができるものであればよい。第２検出手段１８としては、３つの転写面案内部材４５に設ける識別用の形状部分や識別情報を付した部位について、機械的手段、光学的手段、電気的手段、電子的手段等の認識手段により識別することができる手段が採用される。
【０１１９】
＜誤装着警告手段の構成＞
誤装着警告手段１９は、例えば、図１０に例示する記録用紙９の種類と転写面案内部材４５の種類との関係を示す対照情報に基づき、第２検出手段１８により実際に装着された転写面案内部材４５の種類に関する検出結果と第１検出手段１６の検出結果に応じて選定される転写面案内部材４５の種類（４５Ａ，４５Ｂ，４５Ｃ）の情報とを対比し、その両者の種類が整合しない場合に装着された転写面案内部材４５の種類が誤っていることを報知する機能を備えた手段である。このような誤装着警告手段１９は、中央制御装置１５の制御動作の一部として機能するようにソフトウエアとして構成されるか、あるいは、図１１に例示するように中央制御装置１５とは独立した機能装置として構成される。
【０１２０】
＜動作＞
この第２検出手段１８と誤装着警告手段１９を追加した画像形成装置１では、転写面案内部材４５の交換を行った場合、その交換で装着した転写面案内部材４５の種類（４５Ａ，４５Ｂ，４５Ｃ）が第２検出手段１８で検出され、誤装着警告手段１９が第２検出手段１８で検出された転写面案内部材４５の種類と交換検知手段１７で判別された転写面案内部材４５の種類とを対比する。
【０１２１】
この際、誤装着警告手段１９においてその対比する記録用紙９の種類どうしが上記対照情報から同類の種類でないと認識された場合は、交換で装着した転写面案内部材４５の種類が誤っていると判別される。
次いで、誤装着警告手段１９は、このときの判別した結果を中央制御装置１５に送信すると、例えば中央制御装置１５の制御動作により操作表示装置１４における表示部１４ｂにその判別した結果（種類が誤っていること）が表示される。
【０１２２】
したがって、この画像形成装置１によれば、転写面案内部材４５の交換を行った場合に、利用者が装着すべき転写面案内部材４５の種類（４５Ａ，４５Ｂ，４５Ｃ）が誤っていることを知ることができる。
これにより、転写面案内部材４５の誤装着を回避することができ、転写面案内部材４５の誤装着による不適切な電荷調整処理を行って二次転写不良を誘発してしまうことを防止することができる。
【０１２３】
［他の実施の形態］
実施の形態１、２では、３つの転写面案内部材４５Ａ，４５Ｂ，４５Ｃが装備されている構成例を示したが、転写面案内部材４５として他の複数のものを用意したものであってもよい。この場合、転写面案内部材４５の数は、例えば、行うべき電荷調整処理の数に対応して設定される。
また、電荷調整処理についても、実施の形態１、２で例示した３種類とは異なる種類や組み合わせの電荷調整処理を採用してもよい。
【０１２４】
電荷調整部７０の給電処理を行う接続部材７４に接触させる接触部位の一例である位置決め突起８４を有する転写面案内部材４５Ｃについては、図１２に示されるように、高い抵抗特性を示す記録用紙９Ｃの転写面９ａに接触する導電性の接触補助材５６を設けることが好ましい。
【０１２５】
導電性の接触補助材５６は、転写面案内部材４５Ｃを構成する本体部４５１の案内面４５０側において、記録用紙９Ｃの搬送方向Ｓと直交する方向（中間転写ベルト３１の回転方向Ｂと直交する幅方向）に沿って存在する状態で配置される。接触補助材５６は、図１２（ｂ）に示されるように第２用紙案内部材である非転写面案内部材４６と向き合う状態になる。
また、この接触補助材５６は、記録用紙９Ｃの搬送状態を阻害することなくその転写面９ａへの接触が良好に得られる部材であればよく、例えば、導電性ブラシ等の部材が適用される。さらに、この接触補助材５６は、図１２（ａ）に示すように記録用紙９Ｃと接触する部位５６ａが本体部４５１の案内面４５０から所要の突出量αになるよう突出させた状態で配置するとよい。また、この接触補助材５６の記録用紙９Ｃの搬送方向Ｓに沿う寸法Ｌについては適宜設定される。
この接触補助材５６を設けた転写面案内部材４５Ｃを適用した場合は、図１２（ｂ）に例示すように、樹脂フィルム等の記録用紙９Ｃにおける転写面９ａに二次転写前に接触しやすくなり、電荷調整部７０による給電処理により電荷調整処理を安定して行うことができる。この結果、記録用紙９Ｃに対する二次転写も良好に行われるようになる。
【０１２６】
また、実施の形態１、２では、装着部６０として保持誘導部材６２を設けた構成例を示したが、装着部６０は保持誘導部材６２を設けない構成からなるものであってもよい。
保持誘導部材６２を設けない装着部６０であっても、その装着部６０は、複数の転写面案内部材４５を着脱自在に装着できる構造が採用される。また、この保持誘導部材６２を設けない装着部６０は、例えば、前述したように中間転写装置３０の少なくとも一部を筐体１０の外部に引き出し可能にした場合に採用すると、その中間転写装置３０の少なくとも一部を引き出した状態にすれば転写面案内部材４５の着脱作業をしやすようにすることが可能になる。
【０１２７】
また、実施の形態１、２では、転写面案内部材４５（Ａ〜Ｃ）の接触部位として、その装着時に位置決め機能を有するとともに異なる位置に配置される位置決め突起８２〜８４で構成した例を示したが、その接触部位としては、例えば装着時の位置決め機能を有しない接触機能に特化した構成からなる部分であってもよい。また、その接触部位としては、転写面案内部材４５（Ａ〜Ｃ）のいずれも同じ位置に配置される位置決め突起を採用した場合でも、その同じ位置に配置される位置決め突起の長手方向における異なる位置に各接続部位を配分するように構成することも可能である。
【０１２８】
さらに、実施の形態１、２では、記録用紙９の種類として固有の抵抗特性で分類した種類を例示したが、記録用紙９の種類としては、例えば電荷調整処理の内容との関係性がある物性などの条件で分類される種類を適用することができる。
また、実施の形態１、２では、転写面案内部材として二次転写部３９に導入される記録用紙９の転写面９ａを案内する転写面案内部材４５を基準にした構成例を示したが、必要であれば、この発明は、感光ドラム２１から記録用紙９の転写面９ａにトナー像を転写する転写部に導入される記録用紙９の転写面９ａを案内する転写面案内部材を基準にした構成にも適用することが可能である。
【０１２９】
この他、画像形成装置については、中間転写方式を採用する画像形成装置１に限らず、他の転写方式を採用する画像形成装置であってもよい。他の転写方式を採用する画像形成装置としては、例えば、１つの作像装置における転写位置に記録用紙９を通過させるように供給する直接転写方式を採用する画像形成装置や、複数の作像装置における各転写位置に対して記録用紙９を順次通過させるように搬送する用紙搬送装置を使用する直接転写方式を採用する画像形成装置である。
【符号の説明】
【０１３０】
１  …画像形成装置
９Ａ，９Ｂ，９Ｃ…記録用紙（記録媒体の一例）
９ａ…転写面
１６Ａ，１６Ｂ…第１検出手段
１７…交換報知手段
１８…第２検出手段
１９…誤装着警告手段
３１…中間転写ベルト（像保持体の一例）
３９…二次転写部（転写部の一例）
４５Ａ，４５Ｂ，４５Ｃ…転写面案内部材（複数の転写面案内部材の一例）
５６…接触補助材
６０…装着部
６２…保持誘導部材
７０…電荷調整部
７２，７３，７４…接続部材
７５Ｂ，７５Ｃ，７５Ｄ…位置決め孔
８２，８３，８４…位置決め突起（接触部位の一例）
Ｄ１…装着方向
Ｄ２…離脱方向
【図１】
2019040079.tif 000003
【図２】
2019040079.tif 000004
【図３】
2019040079.tif 000005
【図４】
2019040079.tif 000006
【図５】
2019040079.tif 000007
【図６】
2019040079.tif 000008
【図７】
2019040079.tif 000009
【図８】
2019040079.tif 000010
【図９】
2019040079.tif 000011
【図１０】
2019040079.tif 000012
【図１１】
2019040079.tif 000013
【図１２】
2019040079.tif 000014